(57)【要約】【課題】保冷庫内の高い気密性を確保する。【解決手段】観音開き式の扉１、２を有する保冷庫において、片方の扉に、その扉の開放端側の庫内側に気密用プレート５を設ける。さらにこの気密用プレートの上下端に当接するように、この保冷庫の庫内上下端に当接部材９を設ける。両扉を閉止すると、この気密用プレートと当接部材が当接して庫内開口部８と気密用プレートの間の隙間ｇが塞がれるので、庫内の気密性が向上する。【選択図】図５
2008267634.tif 000002
【特許請求の範囲】
【請求項１】
左右の扉（１、２）が観音開き式に設けられており、その一方の扉（１）の開放端側に外気が庫内に入るのを阻止する気密用プレート（５）を設け、他方の扉（２）の開放端側に、上記気密用プレート（５）に当接自在にガスケット（４）を設け、両扉（１、２）の閉止時に上記気密用プレート（５）とガスケット（４）を当接させて両扉（１、２）の間の気密を確保するようにした保冷庫において、
この保冷庫の庫内開口部（８）に、上記両扉（１、２）を閉めた際に上記気密用プレート（５）の上下端部と当接して外気が庫内に入るのを阻止する当接部材（９）を設けたことを特徴とする保冷庫。
【請求項２】
上記当接部材（９）に上記庫内開口部（８）から庫内側に向けて傾斜する面を有する当接面（９ａ）を形成し、上記気密用プレート（５）に形成した当接面（５ａ）が上記当接面（９ａ）に当接して気密を確保するようにしたことを特徴とする請求項１に記載の保冷庫。
【請求項３】
上記当接部材（９）が弾性部材からなることを特徴とする請求項１又は２に記載の保冷庫。
【発明の詳細な説明】
【技術分野】
【０００１】
この発明は、観音開き式の保冷庫の密閉構造に関する。
【背景技術】
【０００２】
観音開き式の保冷庫は、保冷庫本体の左右の両端に設けられた支持軸３によって２枚の扉１、２がそれぞれ右開き及び左開きに開閉自在に支持され、その２枚の扉１、２が保冷庫本体の中央で会合して閉止状態となる。この種の保冷庫においては、広い取り出し口を確保するために、保冷庫の庫内側にはセンターピラーは通常設けられず、その代替として、外気が庫内に入るのを阻止する気密用プレート５がいずれか一方の扉の開閉端側にその開閉端の高さ方向全体に亘って設けられる。また、他方の扉にはガスケット４及び当接板７が設けられ、このガスケット４と当接板７がこの気密用プレート５に当接して気密が確保される（図１及び図２参照）。
【０００３】
この気密用プレート５は、扉１、２の開閉の際に保冷庫の庫内開口部８に接触してその開閉に支障が生じないように、その気密用プレート５の上下端と庫内開口部８の間には上記接触が回避できる程度の隙間ｇが設けられている（図８（ａ）の隙間ｇ参照）。
【０００４】
また、両扉１、２の庫内側の他の３辺（上下辺及び上記支持軸側の辺）にもガスケット４が設けられ、このガスケット４が上記保冷庫の上記３辺に対応する位置の庫内開口部８と当接して、気密が確保される。
【０００５】
この保冷庫が扉閉止時において十分な気密性を有するためには、両扉１、２が庫内開口部８と隙間なく当接する必要がある。しかしながら、上述したように気密用プレート５と庫内開口部８の間には隙間ｇが設けられているため、両扉１、２の閉止の際に庫内の気密が確保できず、冷気が庫外に漏れ出すという問題がある（図８（ａ）の矢印ｆ参照）。
【０００６】
この問題を解決するため、気密用プレート５の上下端に気密シート１０を設け、両扉１、２の閉止の際に両扉１、２と庫内開口部８の間にこの気密シート１０が挟み込まれるようにすることがある（図８（ｂ）参照）。この気密シート１０は両扉１、２と庫内開口部８の間に挟まれて両者の間から冷気が漏れるのを防止する。この気密シート１０の素材として、通常、樹脂材等の弾性材が用いられる。
【発明の開示】
【発明が解決しようとする課題】
【０００７】
十分な気密効果を得るためには、上記気密シートで上記隙間を密封して塞ぐ必要がある。しかしながら、気密シートは使用時間の経過とともにたるみや破れが生じやすく、このため、上記隙間を完全に塞ぐことが困難となることがある。そのため、経時変化することなく常に気密性を確保し得る閉塞方法の開発が望まれている。
【０００８】
そこで、この発明は、保冷庫内の高い気密性を常に確保できるようにすることを課題とする。
【課題を解決するための手段】
【０００９】
上記の課題を解決するため、この発明は、左右の扉が観音開き式に設けられており、その一方の扉の開放端側に外気が庫内に入るのを阻止する気密用プレートを設け、他方の扉の開放端側に、上記気密用プレートに当接自在にガスケットを設け、両扉の閉止時に上記気密用プレートとガスケットを当接させて両扉の間の気密を確保するようにした保冷庫において、この保冷庫の庫内開口部に、上記両扉を閉めた際に上記気密用プレートの上下端部と当接して外気が庫内に入るのを阻止する当接部材を設けたのである。
【００１０】
この当接部材を設けることで、上記両扉を閉止した際、上記気密用プレートの上下端と、上記庫内開口部との間に生じた隙間が閉塞されるので、この保冷庫内の気密性を高めることができる。
【００１１】
また、上記当接部材に上記庫内開口部から庫内側に向けて傾斜する面を有する当接面を形成し、上記気密用プレートに形成した当接面が上記当接面に当接して気密を確保するようにすることができる。
【００１２】
この当接面をこのように傾斜して設けると、上記当接部材と気密用プレートとが当接し始めた状態からさらに上記当接力を強めた場合（扉を保冷庫本体に押し込む状態）、上記当接部材と気密用プレートとが上記当接面において当接しつつ、この当接面において両者が相互にわずかにずれて、その当接状態を維持する。つまり、上記当接力に変動を生じた場合においても一定の当接状態（気密状態）が確保できる。
【００１３】
また、上記当接部材を弾性部材とすることができる。このようにすれば、弾性部材が弾性的に変形して上記気密用プレートと庫内開口部の間の隙間を塞ぐので、気密維持効果を高めることができる。
【発明の効果】
【００１４】
この発明によると、上記当接部材と気密用プレートの当接による気密維持効果によって、保冷庫内の高い気密性を確保できる。
【発明を実施するための最良の形態】
【００１５】
図１にこの発明における保冷庫を示して説明すると、この保冷庫は、左右の扉１、２が蝶番３によって観音開き式に設けられている。この左扉１には、図２及び図３に示すように、ガスケット４が設けられ、さらに、冷気が庫内から漏れるのを阻止するための気密用プレート５がこの左扉１の開放端側の庫内側にねじ６によって固定されている（図２及び図３（ａ）参照）。
他方、右扉２には、ガスケット４及び当接板７が設けられ、これらが気密用プレート５に当接して気密が確保される。
【００１６】
この気密用プレート５はこの左扉１の上端から下端までの長さとほぼ同じ長さとしつつ、この気密用プレート５の上下端がこの左扉１の開閉の際に保冷庫の庫内開口部８と接触しないように、この気密用プレート５の上下端と庫内開口部８の間には隙間ｇが設けられている（図３（ｂ）参照）。
【００１７】
また、この保冷庫の庫内開口部８の上下端には、両扉１、２を閉めた際にこの気密用プレート５の上下端部と当接して外気が庫内に入るのを阻止するための当接部材９が設けられている。この当接部材９には、庫内開口部８から庫内側に向けて傾斜する面を有する当接面９ａが形成されており、その一方で、気密用プレート５の上下端にも当接面９ａと当接する当接面５ａが形成されている。気密用プレート５と当接部材９の両当接面５ａ、９ａが当接して両者の間の気密が確保される（図３（ｃ）参照）。
【００１８】
図４に示すように、上記のように傾斜した当接面５ａ、９ａを介して気密用プレート５と当接部材９を当接させると、その当接力が変化した場合においても、その変化に対応して両者５、９がその当接面５ａ、９ａをずれて動き、両者５、９の間の当接がそのまま維持される。そのため、常に両者５、９の間の気密性が確保される。
【００１９】
また気密用プレート５と当接部材９の当接に際しては、図５に示すように、両者５、９の当接面５ａ、９ａ同士が当接するとともに、両扉１、２に設けた気密シート１０が連結部材１１を介して庫内開口部８に当接するようにしたので、上記気密性が一層確実なものとなる。この気密シート１０の材質は従来から用いられている気密シート１０と基本的に同じものを採用でき、両扉１、２の開放端側における上下端に設けられる。
【００２０】
気密用プレート５と当接部材９による気密を一層確実なものとするため、この気密シート１０の材質及び厚さ等を適宜選択することができ、例えば、この気密シート１０の厚さをできるだけ薄くし、かつ、弾性に富む素材を選択すれば、気密用プレート５と当接部材９の間の気密を維持しつつ、この気密シート１０による気密も十分確保することができる。
【００２１】
また、この左扉１の他の３辺（上下辺及び蝶番取付け側の辺）にはガスケット４が設けられ、そのガスケット４はそれぞれの取付け位置に対応した庫内開口部８に当接して、気密性を確保する。
他方、右扉２の他の３辺（上下辺及び蝶番取付け側の辺）にもガスケット４が設けられ、そのガスケット４はそれぞれの取付け位置に対応した庫内開口部８に当接して、気密性を確保する。
【図面の簡単な説明】
【００２２】
【図１】保冷庫の一例を示し、（ａ）は正面図、（ｂ）は側面図
【図２】この保冷庫の扉部分の断面平面図
【図３】一実施形態の要部拡大図を示し、（ａ）は断面平面図、（ｂ）は正面図、（ｃ）は断面側面図
【図４】同実施形態の要部を示す分解斜視図
【図５】同実施形態の要部作用図を示し、（ａ）は扉閉止時、（ｂ）は扉開放時
【図６】同実施形態の要部作用図を示し、（ａ）は扉閉止時、（ｂ）は扉開放時
【図７】同実施形態の要部斜視図
【図８】従来技術を示し、（ａ）は冷気の漏れを示す作用図、（ｂ）は要部断面側面図、（ｃ）は要部斜視図
【符号の説明】
【００２３】
１  左扉
２  右扉
３  蝶番
４  ガスケット
５  気密用プレート
５ａ  当接面
６  ねじ
７  当接板
８  庫内開口部
９  当接部材
９ａ  当接面
１０  気密シート
１１  連結部材
【図１】
2008267634.tif 000003
【図２】
2008267634.tif 000004
【図３】
2008267634.tif 000005
【図４】
2008267634.tif 000006
【図５】
2008267634.tif 000007
【図６】
2008267634.tif 000008
【図７】
2008267634.tif 000009
【図８】
2008267634.tif 000010